(57)【要約】【課題】印字済み記録シートに対して印字の追記を行おうとしても適正な印字を得ることができず、また追記を行った事が容易に判別できるようにした偽造や改ざんが極めて困難なレーザマーキング用記録シートとその使用方法を提供する。【解決手段】本発明のレーザマーキング用記録シート１は、シート基材６０の表面に第２記録層３０、第１記録層２０、被覆層１０を順次重ねて印刷した構成となっている。第２記録層３０は、黒インキ層３１と白インキ層３２とを交互平行にシート基材６０の上に印刷して形成したものである。第１記録層２０は、前記第２記録層３０とは白黒逆の色配列になるように、前記黒インキ層３１の上に白インキ層２２を重ねると共に、前記白インキ層３２の上に黒インキ層２１を重ねて印刷した。印字はレーザ光により、黒インキ層２１または黒インキ層３１を露呈させて行う。【選択図】　　　図１
2004058584.tif 000002
【特許請求の範囲】
【請求項１】
レーザ光を照射して印字面に文字、記号、絵などの印字を形成するレーザマーキング用記録シートにおいて、
シート基材と、互いに重ね合わせたときに少なくとも一部で同じ色が重ならないように色分けされた記録層を前記シート基材の少なくとも片面に積層した複層の記録層と、その複層の記録層の表面を覆い前記印字面となる被覆層と、を備えたことを特徴とする、レーザマーキング用記録シート。
【請求項２】
前記複層の記録層は、同一模様で色違いの前記記録層を一組含むことを特徴とする、請求項１に記載のレーザマーキング用記録シート。
【請求項３】
前記複層の記録層および被覆層は、印刷方式、熱転写方式、電子写真方式、インクジェット方式、塗装方式、貼り合せ方式などから選択される少なくとも一つの方式により形成されていることを特徴とする、請求項１または２に記載のレーザマーキング用記録シート。
【請求項４】
前記シート基材の非印字面に、粘着層と、その粘着層の表面を被覆する剥離台紙と、を備えたことを特徴とする、請求項１から３のいずれかに記載のレーザマーキング用記録シート。
【請求項５】
印字開始位置を制御する印字ピッチ検出マーク、印字の際に必要となる各種情報を入力したバーコードや二次元コードなどの各種記号が設けられていることを特徴とする、請求項１から４のいずれかに記載のレーザマーキング用記録シート。
【請求項６】
シート基材と、互いに重ね合わせたときに少なくとも一部で同じ色が重ならないように色分けされた記録層を前記シート基材の少なくとも片面に積層した複層の記録層と、その複層の記録層の表面を覆い印字面となる被覆層と、を備えたレーザマーキング用記録シートの使用方法であって、
レーザ光を照射して、印字位置に設けられた複層の記録層から所定の色の前記色分けされた記録層を選択的に露呈させ、文字、記号、絵などの印字を形成することを特徴とする、レーザマーキング用記録シートの使用方法。
【発明の詳細な説明】
【０００１】
【発明の属する技術分野】
本発明は、レーザマーキング用記録シートおよびその使用方法に関し、特に追記による記録内容の改ざん防止に用いられるレーザマーキング用記録シートおよびその使用方法に関する。
【０００２】
【従来の技術】
表面にベタ印刷が行われた記録シートにレーザ光を照射し、照射部位のインキ層を除去することにより記録シート表面に下地の基材表面を露呈させ、その露呈した基材表面と背景のベタ印刷との色相の差を利用して文字や記号などを表示するレーザマーキング法が知られている（例えば特開平１１−７０７３４号公報）。
【０００３】
上記のようなレーザマーキング法による印字の特徴は、印字と記録シートとが一体不可分になっており、印字の周辺に影響を与えずに印字だけを消去するのが難しいということである。すなわち、あえて印字を消去しようとすれば、印字周辺のインキ層を除去して印字内容を分からなくしたり、印字の上にベタ印刷と同色のインキで印刷を行って文字を消し去るなどの方法が考えられるが、いずれの方法においてもシート基材の表面には印字の消去に伴う何らかの痕跡が残るので、このような方法で印字を消去すれば容易に判別可能となる。そこで、このようなシート基材を用いた偽造や改ざん防止用の記録シートが検討されている。
【０００４】
【発明が解決しようとする課題】
しかしながら、上記のような単に表面にベタ印刷を一層設けただけの記録シートであれば、ベタ印刷面に自由に追記が行えるので、印字済みの記録シートに対して後からベタ印刷面に文字などを追記することによる偽造や改ざんには十分に対処できなかった。したがって、前記のような記録シートを偽造や改ざん防止目的で使用する為には、このような追記に対する対策が不可欠であった。
上記のことから、印字の消去のみならず追記による偽造や改ざんが難しく、有価証券などの重要書類にも適用可能なレーザマーキング用記録シートが求められていた。
【０００５】
本発明はこのような状況に鑑みてなされたものであり、すなわち本発明は、印字済みのレーザマーキング用記録シートに対して、印字の追記を行っても適正な印字が得られず、また追記を行った事が容易に判別できる、レーザマーキング用記録シートとその使用方法の提供を目的とする。
【０００６】
【課題を解決するための手段】
すなわち請求項第１の発明は、レーザ光を照射して印字面に文字、記号、絵などの印字を形成するレーザマーキング用記録シートにおいて、シート基材と、互いに重ね合わせたときに少なくとも一部で同じ色が重ならないように色分けされた記録層を前記シート基材の少なくとも片面に積層した複層の記録層と、その複層の記録層の表面を覆い前記印字面となる被覆層と、を備えたことを特徴とする、レーザマーキング用記録シートである。
【０００７】
請求項第２の発明は、前記複層の記録層に、同一模様で色違いの前記記録層を一組含むことを特徴とする、請求項１に記載のレーザマーキング用記録シートである。
【０００８】
請求項３の発明は、前記複層の記録層および被覆層が、印刷方式、熱転写方式、電子写真方式、インクジェット方式、塗装方式、貼り合せ方式などから選択される少なくとも一つの方式により形成されていることを特徴とする、請求項１または２に記載のレーザマーキング用記録シートである。
【０００９】
請求項４の発明は、前記シート基材の非印字面に、粘着層と、その粘着層の表面を被覆する剥離台紙と、を備えたことを特徴とする、請求項１から３のいずれかに記載のレーザマーキング用記録シートである。
【００１０】
請求項５の発明は、印字開始位置を制御する印字ピッチ検出マーク、印字の際に必要となる各種情報を入力したバーコードや二次元コードなどの各種記号が設けられていることを特徴とする、請求項１から４のいずれかに記載のレーザマーキング用記録シートである。
【００１１】
請求項６の発明は、シート基材と、互いに重ね合わせたときに少なくとも一部で同じ色が重ならないように色分けされた記録層を前記シート基材の少なくとも片面に積層した複層の記録層と、その複層の記録層の表面を覆い印字面となる被覆層と、を備えたレーザマーキング用記録シートの使用方法であって、レーザ光を照射して、印字位置に設けられた複層の記録層から所定の色の前記色分けされた記録層を選択的に露呈させ、文字、記号、絵などの印字を形成することを特徴とする、レーザマーキング用記録シートの使用方法である。
【００１２】
【発明の実施の形態】
次に、本発明に係るレーザマーキング用記録シートの第一の実施の形態について、図１ないしは図９を参照しながら説明する。図１はレーザマーキング用記録シート（以下記録シートと称す）１の構成を示す分解斜視図、図２はその横断面図、図３は粘着加工して剥離台紙３に仮着し、ロール状に形成した状態を示す斜視図、図４は本発明の方法により黒インキ層２１、３１が露呈するようにレーザ照射を行った場合の平面図、図５はそのＸ−Ｘ断面図、図６は被覆層１０を除去可能なエネルギーでレーザ照射を行った場合の平面図、図７はそのＹ−Ｙ断面図、図８は一部が第２記録層表面に達するエネルギーでレーザ照射を行った場合の平面図、図９はそのＺ−Ｚ断面図である。
【００１３】
図１、図２に示すように、本発明の記録シート１は、シート基材６０の表面に第２記録層３０、第１記録層２０、被覆層１０を順次重ねて印刷インキにより印刷したものである。シート基材６０は、プリンタや印刷などで使用される紙製の基材が用いられるが、その他にもプラスチックフィルム、金属箔などを構成材料とする１ないしは複数の素材で構成された基材が用いられる。第２記録層３０は、表面に露呈して文字や記号などの印字を形成する黒インキ層３１と白インキ層３２とで構成されており、これらは少なくとも印字幅をカバーする大きさで印字位置に合わせて交互平行にシート基材６０の表面に設けられている。また、第２記録層３０の表面には第１記録層２０が重ねて印刷されているが、第１記録層２０は第２記録層３０とは同一模様で白黒の色違いになるように、黒インキ層３１には白インキ層２２を重ね、白インキ層３２には黒インキ層２１を重ねて設けられている。なお、第１記録層２０は、第２記録層３０の構成が見えないように、第２記録層３０を隠蔽するのに十分な色濃度および厚みで設けられている。さらに第１記録層２０の表面には白インキにより被覆層１０が印刷されているが、この被覆層１０も、第１記録層２０の構成が見えないように、第１記録層２０を隠蔽するのに十分な色濃度および厚みで設けられている。また、被覆層１０は第１記録層２０を全面的に覆う形で設けることが好ましいが、第１記録層２０の黒インキ層２１と白インキ層２２の印刷形状や相互間の位置が特定できないように形成されていれば、必ずしも第１記録層２０を全面的に覆っている必要はない。
【００１４】
以上説明した構成の記録シート１は、図３に示したように裏面の非印字面に粘着剤２を塗布し、さらにこの粘着剤２を介して剥離台紙３に仮着し、繰り出し可能なロール状態でコア芯４に対して巻回しても良い。この図においては、剥離台紙３の裏面にレーザマーキング装置の印字位置を決める印字ピッチ検出マーク５や、印字の際に必要となる各種情報を入力したバーコードや二次元コードなどの記号６が印刷されているが、これらの印字ピッチ検出マーク５や記号６は、外から見える状態であれば記録シート１の印字面や非印字面に形成されていても良い。また、シート基材３０がＲＦＩＤ方式のカードであれば、前記情報をＩＣチップに記録しておくことも可能である。
【００１５】
ここで、印字の際に必要となる各種情報としては、印字の開始位置および終了位置、黒インキ層２１、３１および白インキ層２２、３２の位置、印刷の厚み、材質、除去に必要なエネルギー、印字を行うレーザマーキング装置の種類などがあげられる。これらの印字に必要となる各種情報を上記のようにして記録シート１に付加しておけば、後述の方法に基づいてレーザ照射を行う場合に、レーザ照射条件を誤ることなく印字が行えて好適である。しかも印字後に、例えば剥離台紙３などと共に切り離しを行ったり、あるいはレーザ照射で削除するなどにより、これら印字の際に必要となる各種情報を記録シート１から消去してしまえば、これらの情報を知る手がかりがなくなるので、さらに偽造や改ざんが困難となる。
【００１６】
次に、上記構成による記録シート１の使用方法について説明する。
まず、記録シート１をレーザマーキング装置（図示せず）の用紙取り付け装置に取り付ける。ここで用いられるレーザマーキング装置は、レーザ光の照射エネルギーおよびスポット径が制御可能となっており、また用紙搬送装置や照射ヘッドの駆動装置などにより照射ヘッドが照射面を精密移動し、レーザ照射を行うことが可能となっている。
【００１７】
次に、記録シート１にレーザを照射して印字を形成する方法を詳述する。本実施の形態においては５桁の数字「１２３４５」について、「１」、「３」、「５」の各数字を白インキ層２２と接する被覆層１０の上に印字すると共に、「２」、「４」の各数字を黒インキ層２１と接する被覆層１０の上に印字する場合を例示している。ここで、印字に必要となる照射エネルギーは記録シート１のレーザ照射位置により異なる。すなわち、レーザ照射位置が白インキ層２２に接する被覆層１０の上方にある場合には、被覆層１０および白インキ層２２の両層が除去可能であり、かつシート基材層６０に達しないように調整した照射エネルギーのレーザ光を照射することにより印字を行う。一方、レーザ照射位置が黒インキ層２１に接する被覆層１０の上方にある場合には、被覆層１０が除去可能であり、かつ第２記録層３０に達しないように調整された照射エネルギーのレーザ光を照射することにより印字を行う。このようにして、印字位置に設けられた複層の記録層から黒色に色分けされた記録層を選択的に露呈させる。その結果は図４と図５に示すとおりであり、記録シート１の表面には黒インキ層２１、３１が露呈して「１２３４５」が黒く表示された印字記録シート１００が得られる。以上の印字は、印字の際に必要となる白インク層２２、３２と黒インク層２１、３１の位置情報などの各種情報を基材シート１から引き出して、レーザ照射装置に入力して行うことで達成される。
【００１８】
一方、上記のような情報を持たずに、通常の感覚で全体を一定レベルの照射エネルギーで記録シート１に印字を行った場合を説明する。図６及び図７は、被覆層１０のみを除去可能な一定レベルの照射エネルギーで、記録シート１の被覆層１０の上から５桁の数字「１２３４５」をレーザ照射した場合を示したものである。すなわち、レーザ光により記録シート１の被覆層１０が除去され、第１記録層２０の黒インキ層２１と白インキ層２２が露呈した印字記録シート２００が得られる。この場合、白インキ層２２の上方にある「１」、「３」、「５」の印字部分は被覆層１０と同じ白色を呈するので、わずかに印字の凹部は形成されるものの黒く明瞭な印字にはならない。それに対して黒インキ層２１の上方にある「２」、「４」は黒インキ層２１の露呈により黒く明瞭な印字となる。仮に追記がこのような状態で行われれば、印字を見ただけで追記したことが一目瞭然である。
【００１９】
次に、上記よりもさらに強力な一定の照射エネルギーで印字した場合を説明する。この場合には、被覆層１０に加えて第１記録層２０の除去も進むようになる。一般に記録シート１に使用している素材が異なればエネルギー吸収力も異なり、一定エネルギーのレーザ光を照射しても素材によって除去されるインキ層の深さは異なる。通常、黒インキ層２１、３１にはカーボンブラックなどの黒色顔料が含まれ、白インキ層２２、３２には酸化チタンなどの白色顔料が含まれているが、黒インキ層の方がレーザ光を吸収し易いので、同じ照射エネルギーで行えばより深い印字となる。図８と図９は、「２」と「４」の位置にある黒インキ層２１を完全に除去する強さを有する一定の照射エネルギーで、５桁の数字「１２３４５」を印字した場合を示したものである。この場合、「１」、「３」、「５」の印字は白インク層２２が途中までしか除去されないので、印字の深度は印字記録シート１００よりも深くなるが、黒く明瞭な印字は得られない。また、「２」と「４」の場合は黒インキ層２１が完全に除去されるので、その下にある白インキ層３２が露呈し、これも黒く明瞭な印字は得られない。但し、この場合は図８の印字記録シート３００で模擬的に示すように、角度を変えれば黒インキ層２１により印字の周囲が縁どられた状態になる。いずれにしても所定の印字を得ることはできず、追記したことが一目瞭然である。
【００２０】
上記よりもさらに強い照射エネルギーを与え、「１」、「３」、「５」の印字の下にある白インキ層２２を完全に除去した場合も所定の印字は得られない（図示せず）。この場合は「１」、「３」、「５」の下にある黒インキ層３１が露呈した状態になり、「１」、「３」、「５」の印字が黒く表示される。一方、「２」と「４」の印字の下にある白インキ層３２は図９の場合よりもさらに除去されて印字が深くなっているが、記録シート１の表面から見ると白インキ層３２が露呈した状態となっており、黒く明瞭な印字は得られない。これもまた追記したことが一目瞭然である。
【００２１】
以上のように、一定の照射エネルギーのレーザ光で記録シート１に印字するのでは、適正な印字が得られないことは明らかである。
【００２２】
図１０は本発明に係るレーザマーキング用記録シートの第二の実施の形態について示したものである。ただし、図１ないしは図９と同様の部分には同一符号を付し、その詳述はこれを省略する。本実施の形態の記録シート４００は、基材シート６０と第２記録層３０との間に、基材シート６０から見て順次反射層５０および第３記録層４０を積層したものである。ここで、各記録層には黒インキ層２１、３１、４１、白インキ層２２、３２、４２、赤インキ層２３、３３、４３を色違いに設けてある。反射層５０は、レーザ照射により基材シート６０が損傷を受けないように設けたもので、雲母やアルミニュウム、二酸化珪素、酸化チタンなどをインキ化して印刷したものである。この記録シート４００を用いて黒インキ層２１の位置に黒印字を行う場合は、被覆層１０が除去可能であり、かつ第２記録層３０に達しないように調整した照射エネルギーのレーザ光を照射することにより印字を行うことにより達成される。また、その他の位置への黒印字や赤印字に関しても、同様にして印字を行うことにより達成されることは、これまで詳述のとおりである。さらに色数が必要な場合には、所望の色で色分けされた記録層を被覆層とシート基材の間に少なくともその色数だけ設ければ良い。また白インキ層を所望の色に変えるようにしても可能である。
【００２３】
以上説明した実施の形態に限らず、種々の変形や変更が可能である。例えば被覆層１０、記録層２０、３０、４０は印刷インキに限らず、熱転写インキ（熱転写方式）、トナー（電子写真方式）、インクジェットインキ（インクジェット方式）、塗料（塗装方式）などの使用も可能である。その他にも、ＰＥ（ポリエチレン）、ＰＰ（ポリプロピレン）、ＰＥＴ（ポリエステル）、ＰＶＣ（塩化ビニル）、などのプラスチックの押し出し成形や、フィルムの貼り合せにより形成されていても良い。また、記録層の色分けされた模様や色は上記の例に限らないことは言うまでもなく、例えば社名ロゴなどの所望の模様を所望の色で形成可能である。製品毎、製造時期毎に模様を変化させれば、偽造や改ざん防止にさらに好適である。また、必要に応じて各層のバインダにレーザ光吸収力の高い材料や隠蔽性の高い材料を適宜組み合わせ、レーザ光のエネルギー吸収力に適宜差を設けても良い。
【００２４】
【発明の効果】
以上説明したように、本発明に係るレーザマーキング用記録シートによれば、記録層の色分けされた模様に応じて印字エネルギーを変化させないと所望の印字が行えないので、追記による偽造や改ざんが防止できる。また追記を行えば印字の痕跡がレーザマーキング用記録シートの上に残るので、印字面を確認すれば印字の追記を試みたことが容易に判別出来る。また、記録層は所望の色で色分けできるので、所望の色のカラー印字が行える。さらに、本発明に係る印字方法によれば、追記したことが容易に判別可能なレーザマーキング用記録シートに好適な印字が行えるため、改ざんや偽造防止に優れた効果を奏する印字方法の提供が可能となる。
【図面の簡単な説明】
【図１】本発明の第一の実施の形態によるレーザマーキング用記録シート（記録シート）１の構成を示す分解斜視図である。
【図２】その横断面図である。
【図３】粘着加工して剥離台紙３に仮着し、ロール状に形成した状態を示す斜視図である。
【図４】本発明の方法により黒インキ２１、３１が露呈するようにレーザ照射を行った場合の平面図である。
【図５】そのＸ−Ｘ断面図である。
【図６】被覆層１０を除去可能なエネルギーでレーザ照射を行った場合の平面図である。
【図７】そのＹ−Ｙ断面図である。
【図８】一部が第２記録層３１の表面に達するエネルギーでレーザ照射を行った場合の平面図である。
【図９】そのＺ−Ｚ断面図である。
【図１０】本発明の第二の実施の形態によるレーザマーキング用記録シート４００の構成を示す分解斜視図である。
【符号の説明】
１、４００　レーザマーキング用記録シート（記録シート）
２　粘着剤
３　剥離台紙
４　コア芯
５　印字ピッチ検出マーク
６　バーコードや二次元コードなどの記号
１０　被覆層
２０　第１記録層
２１、３１、４１　黒インキ層
２２、３２、４２　白インキ層
３０　第２記録層
４０　第３記録層
５０　反射層
６０　シート基材
１００、２００、３００　印字記録シート
【図１】
2004058584.tif 000003
【図２】
2004058584.tif 000004
【図３】
2004058584.tif 000005
【図４】
2004058584.tif 000006
【図５】
2004058584.tif 000007
【図６】
2004058584.tif 000008
【図７】
2004058584.tif 000009
【図８】
2004058584.tif 000010
【図９】
2004058584.tif 000011
【図１０】
2004058584.tif 000012